(57)【要約】【課題】マスク部の表面を外部から視認可能に保ちつつ、マスク部の形状を所望の形状とすることができるマスクを提供する。【解決手段】マスク１００は、マスク部１０と、マスク部より硬い素材で成形されたベース部３０と、を備え、ベース部は、マスク部を、少なくとも一部を外部から視認可能であり、かつ、着脱可能に保持する。【選択図】図１
2020183590.tif 000002
【特許請求の範囲】
【請求項１】
マスク部と、
前記マスク部より硬い素材で成形されたベース部と、を備え、
前記ベース部は、前記マスク部を、少なくとも一部を外部から視認可能であり、かつ、着脱可能に保持する
マスク。
【請求項２】
前記ベース部は、表面が外部に向き、裏面が顔に向くように使用者に装着され、
前記ベース部が前記マスク部を少なくとも一部を外部から視認可能に保持することは、前記ベース部の前記表面に前記マスク部を保持することである
請求項１に記載のマスク。
【請求項３】
前記マスク部の前記ベース部に保持される側の面である裏面と、前記ベース部の前記表面とは、それぞれ、前記ベース部に対する前記マスク部の着脱機構を有する
請求項２に記載のマスク。
【請求項４】
前記ベース部の前記表面との間で前記マスク部を挟む部材をさらに備える
請求項２に記載のマスク。
【請求項５】
前記ベース部には、顔に装着するための装着部が接続されており、
前記装着部は、使用者の耳を利用して前記ベース部を顔に装着させる
請求項１〜請求項４のいずれか一項に記載のマスク。
【請求項６】
前記装着部は前記ベース部に対して着脱可能である
請求項５に記載のマスク。
【請求項７】
前記装着部は折り畳み可能である
請求項５又は６に記載のマスク。
【請求項８】
前記ベース部は、少なくとも、前記使用者の装着時に縦方向となる方向に変形可能である
請求項１〜請求項７のいずれか一項に記載のマスク。
【請求項９】
前記ベース部の少なくとも一部は、変形可能な素材で形成されている
請求項１〜請求項７のいずれか一項に記載のマスク。
【請求項１０】
前記ベース部は、位置関係が変化可能な複数部材で構成されている
請求項１〜請求項７のいずれか一項に記載のマスク。
【請求項１１】
前記ベース部は、前記マスク部よりも面積の小さいフレーム構造を有する
請求項１〜請求項１０のいずれか一項に記載のマスク。
【請求項１２】
マスクに含まれる、マスク部を保持するベース部であって、
前記マスク部より硬い素材で成形され、
前記マスク部を、少なくとも一部を外部から視認可能であり、かつ、着脱可能に保持する
マスクのベース部。
【請求項１３】
マスクに含まれるマスク部であって、
前記マスク部より硬い素材で成形されたベース部によって、少なくとも一部を外部から視認可能であり、かつ、着脱可能に保持される
マスク部。
【発明の詳細な説明】
【技術分野】
【０００１】
本開示は、マスク、マスクのベース部、及び、マスクのマスク部に関する。
【背景技術】
【０００２】
特許文献１には、衛生用マスクに色や飾りをつけることでファッション性を持たせることが提案されている。
【先行技術文献】
【特許文献】
【０００３】
【特許文献１】特開２００６−２６３４０８号公報
【発明の概要】
【０００４】
特許文献１に提案されるマスクはマスク表面の美観が向上するものの、使用者の中には、さらに、ファッション性の一環として、マスク部分の形状を、例えば、立体的な顔の形状などの所望の形状とすることを要望する場合がある。しかしながら、特許文献１に提案されるマスクは市販の衛生用マスクを利用するものであるため、マスク部分の形状を使用者の所望する形状にはしにくい。
【０００５】
そこで、マスク部の表面を外部から視認可能に保ちつつ、マスク部の形状を所望の形状とすることができるマスク、マスクのベース部、及び、マスクのマスク部が望まれる。
【０００６】
ある実施の形態に従うと、マスクは、マスク部と、マスク部より硬い素材で成形されたベース部と、を備え、ベース部は、マスク部を、少なくとも一部を外部から視認可能であり、かつ、着脱可能に保持する。
【０００７】
ある実施の形態に従うと、マスクのベース部が、マスクに含まれる、マスク部を保持するベース部であって、マスク部より硬い素材で成形され、マスク部を、少なくとも一部を外部から視認可能であり、かつ、着脱可能に保持する。
【０００８】
ある実施の形態に従うと、マスク部は、マスクに含まれるマスク部であって、マスク部より硬い素材で成形されたベース部によって、少なくとも一部を外部から視認可能であり、かつ、着脱可能に保持される。
【０００９】
更なる詳細は、後述の実施形態として説明される。
【図面の簡単な説明】
【００１０】
【図１】図１は、第１の実施の形態に係るマスクの概略を示す斜視図である。
【図２】図２は、図１のマスクを装着した使用者を横から見た概略図である。
【図３】図３は、マスクの装着部の折り畳みを説明するため、マスクを上方から見た概略図である。
【図４】図４は、マスクに含まれるベース部の概略図であって、第１の例に係るベース部の概略図である。
【図５】図５は、マスクに含まれるベース部の概略図であって、第２の例に係るベース部の概略図である。
【図６】図６は、マスクに含まれるベース部の概略図であって、第３の例に係るベース部の概略図である。
【図７】図７は、第２の実施の形態に係るマスクを装着した使用者を横から見た概略図である。
【図８】図８は、第３の実施の形態に係るマスクの概略を示す斜視図である。
【図９】図９は、図８のマスクを装着した使用者を横から見た概略図である。
【発明を実施するための形態】
【００１１】
＜１．マスク、マスクのベース部、及び、マスクのマスク部の概略＞
【００１２】
（１）本実施の形態に含まれるマスクは、マスク部と、マスク部より硬い素材で成形されたベース部と、を備え、ベース部は、マスク部を、少なくとも一部を外部から視認可能であり、かつ、着脱可能に保持する。これにより、ベース部は立体形状を維持できるとともに、保持するマスク部もその立体形状とすることができる。
【００１３】
（２）好ましくは、ベース部は、表面が外部に向き、裏面が顔に向くように使用者に装着され、ベース部がマスク部を少なくとも一部を外部から視認可能に保持することは、ベース部の表面にマスク部を保持することである。ベース部がマスク部を少なくとも一部を外部から視認可能に保持することによって、マスク部の外面に模様等がある場合、その模様等が外部から視認される。そのため、マスク部の外面の模様等によっては、マスクのファッション性を向上させたり、所望の表情にしたりすることができる。
【００１４】
（３）好ましくは、マスク部のベース部に保持される側の面である裏面と、ベース部の表面とは、それぞれ、ベース部に対するマスク部の着脱機構を有する。着脱機構が設けられることで、ベース部にマスク部が着脱可能に保持される。
【００１５】
（４）好ましくは、マスクは、ベース部の表面との間でマスク部を挟む部材をさらに備える。これにより、マスク部はベース部の表面と上記部材とによって挟まれることとでベース部にマスク部が着脱可能に保持される。
【００１６】
（５）好ましくは、ベース部には、顔に装着するための装着部が接続されており、装着部は、使用者の耳を利用してベース部を顔に装着させる。これにより、マスクが顔面に対して固定されやすくなる。
【００１７】
（６）好ましくは、装着部はベース部に対して着脱可能である。これにより、破損時の修理、交換が容易になる他、装着部がデザイン性を有する場合、好みの装着部に容易に取り換えることができる。
【００１８】
（７）好ましくは、装着部は折り畳み可能である。その結果、マスクの携帯性が向上する。また、ケースなどに収納しやすくなる。
【００１９】
（８）好ましくは、ベース部は、少なくとも、使用者の装着時に縦方向となる方向に変形可能である。これにより、マスクを装着した使用者が会話するなど口を動かしたときにもマスクが顔面にフィットし、使用感を向上させることができる。
【００２０】
（９）好ましくは、ベース部の少なくとも一部は、変形可能な素材で形成されている。これにより、ベース部は、少なくとも、使用者の装着時に縦方向となる方向に変形可能となる。
【００２１】
（１０）好ましくは、ベース部は、位置関係が変化可能な複数部材で構成されている。これにより、ベース部は、少なくとも、使用者の装着時に縦方向となる方向に変形可能となる。
【００２２】
（１１）好ましくは、ベース部は、マスク部よりも面積の小さいフレーム構造を有する。これにより、マスク全体を軽量化できるとともに、マスク装着の際の蒸れや息苦しさや圧迫感などを軽減し、使用感を向上させることができる。
【００２３】
（１２）本実施の形態に含まれるマスクのベース部は、マスクに含まれる、マスク部を保持するベース部であって、マスク部より硬い素材で成形され、マスク部を、少なくとも一部を外部から視認可能であり、かつ、着脱可能に保持する。このベース部は、（１）〜（１１）に記載のマスクに含まれるベース部であるため、（１）〜（１１）に記載のマスクに用いられることによって同様の効果を奏する。
【００２４】
（１３）本実施の形態に含まれるマスク部は、マスクに含まれるマスク部であって、マスク部より硬い素材で成形されたベース部によって、少なくとも一部を外部から視認可能であり、かつ、着脱可能に保持される。このマスク部は、（１）〜（１１）に記載のマスクに含まれるマスク部であるため、（１）〜（１１）に記載のマスクに用いられることによって同様の効果を奏する。
【００２５】
＜２．マスク、マスクのベース部、及び、マスクのマスク部の例＞
【００２６】
＜２．１  第１の実施の形態＞
【００２７】
図１及び図２を参照して、マスク１００は、マスク部１０と、マスク部１０より硬い素材で成形されたベース部３０と、を含む。ベース部３０は、マスク部１０を、少なくとも一部を外部から視認可能であり、かつ、着脱可能に保持する部材である。
【００２８】
マスク部１０の外部とは、使用者が顔面Ｆにマスク１００を装着したときの顔面Ｆに向く側とは逆側を指す。外部から視認可能とは、マスク部１０の外部側の面（以下、外面）１１の表面が外部から視認されることを指す。マスク部１０の外面１１に模様等がある場合、その模様等が外部から視認される。そのため、マスク部１０の外面１１の模様等によっては、マスク１００のファッション性を向上させたり、所望の表情にしたりすることができる。なお、以下の説明において、マスク部１０の外面１１と逆側の面、つまり、使用者が顔面Ｆにマスク１００を装着したときの顔面Ｆに向く側の面を内面１２とする。
【００２９】
ベース部３０についても、同様に装着時に顔面Ｆに向く側の面を内面３２、及び、その逆側の面を外面３１とする。外面３１は表面、内面３２は裏面とも言える。言い換えると、ベース部３０は、ベース部３０の表面が外部に向き、裏面が顔に向くように使用者の顔面Ｆに装着される。
【００３０】
第１の実施の形態に係るマスク１００では、図１及び図２に示されたように、マスク部１０は、内面１２がベース部３０の外面３１に接するようにして、ベース部３０の外面３１に保持される。すなわち、マスク１００の装着時に、顔面Ｆから外側に向けて、ベース部３０及びマスク部１０の順に位置する。
【００３１】
なお、以降の説明において、マスク１００を装着した使用者の左右方向（横方向）及び上下方向（縦方向）が、マスク１００の左右方向及び上下方向と一致するものとする。
【００３２】
ベース部３０は、マスク部１０より硬い素材で形成されており、立体形状を有する。ベース部３０の素材は、例えば、合成樹脂、ウレタン樹脂、シリコン樹脂、金属、厚紙、などである。これにより、ベース部３０は立体形状を維持できるとともに、保持するマスク部１０もその立体形状とすることができる。
【００３３】
立体形状は、例えば、顔形状である。顔は、人の顔であってもよいし、動物などの顔であってもよい。また、人の顔の形状は、使用者の顔に近い形状や一部を（例えば、鼻を高くするなど）変形した形状であってもよいし、有名人など他の人の顔の形状であってもよい。具体的には、ベース部３０には、顔面Ｆに装着されたときに使用者の鼻Ｎに相当する位置に凸形状３４を有する。これにより、顔面Ｆに装着しやすくなるとともに、図２に示されたように、マスク１００着用時に自然な顔形状とすることができる。
【００３４】
ベース部３０は開口３３を有し、外面３１に保持されるマスク部１０よりも面積が小さい。図１に示されたように、開口３３は、少なくとも、装着時に使用者の鼻孔ＮＯの位置及び唇Ｌの位置に設けられる。これにより、硬い素材で形成されたベース部３０が顔面Ｆに装着されても呼吸が確保される。
【００３５】
好ましくは、ベース部３０は、複数の開口３３を有する。複数の開口３３は、上記の鼻孔ＮＯの位置及び唇Ｌの位置の開口に加えて、頬ＣＨの位置などである。言い換えると、ベース部３０は、１以上の開口を有するフレーム構造である。これにより、ベース部３０、すなわち、マスク１００全体を軽量化できるとともに、マスク１００装着の際の蒸れや息苦しさや圧迫感などを軽減し、使用感を向上させることができる。
【００３６】
図１及び図２に示されるように、ベース部３０には、使用者の顔面Ｆに装着するための、一対の装着部２０が接続されている。装着部２０は、ベース部３０の、顔面Ｆへの装着時に左右両側となる位置を連結部分２０−１として、ベース部３０の内面３２側にベース部３０の面に対して概ね直角方向に延出するように接続されている。装着部２０は、メガネのいわゆるテンプルと呼ばれるツル部分と同様の形態である。
【００３７】
好ましくは、装着部２０は、ベース部３０に対して着脱可能に取り付けられている。装着部２０のベース部３０に対する着脱可能な取り付けは、一例として、連結部分２０−１に対する、着脱可能な取り付け具２１での取り付けである。着脱可能な取り付け具２１での取り付けは、例えば、ビス留め、フック留め、嵌め合わせ、などである。これにより、破損時の修理、交換が容易になる他、装着部２０がデザイン性を有する場合、好みの装着部２０に容易に取り換えることができる。
【００３８】
装着部２０は、使用者の顔面Ｆの一部を利用して顔面Ｆにベース部３０を固定する。顔面Ｆの一部は、例えば、耳である。耳を利用して顔面Ｆにベース部３０を固定する場合、装着部２０は、一例として、連結部分２０−１を一方端とし、他方端に耳掛け部２２を有する。耳掛け部２２は、耳介ＡＵの上方から掛かる形状の、いわゆるモダン又は先セルである。これにより、ベース部３０が耳介ＡＵに安定して当接し、マスク１００が顔面Ｆに対して固定されやすくなる。
【００３９】
なお、耳を利用して顔面Ｆにベース部３０を固定する構成の他の例として、装着部２０は他方端に、ゴムなどの摩擦力を有する部位を有してもよい。又は、装着部２０は、他方端に、耳介ＡＵの下方から上方に向けて湾曲し、耳介ＡＵの上方から掛かる形状の耳掛け部を有していてもよい。また、顔の一部は耳に限定されず、頭部の一部、頭部周囲、両こめかみ、首、などであってもよい。このような方法であっても、マスク１００が顔面Ｆに対して固定されやすくなる。
【００４０】
好ましくは、装着部２０は折り畳み可能である。これにより、マスク１００全体のサイズを小さくすることができる。その結果、携帯性が向上する。また、ケースなどに収納しやすくなる。
【００４１】
図３は、ベース部３０及び装着部２０の第１の状態２０１、第２の状態２０２、第３の状態２０３、及び、第４の状態２０４によって、この順で装着部２０の折り畳みの様子を表している。
【００４２】
図３を参照して、左右一対の装着部２０は、それぞれ、装着時に耳介ＡＵに近い方の先端２０Ａと、ベース部３０に近い方の基端２０Ｂと、を有する。先端２０Ａと基端２０Ｂとの間にヒンジ２３、及び、基端２０Ｂとベース部３０との間にヒンジ２４が設けられている。ヒンジ２３は、回転軸の軸心方向を上下方向とし、先端２０Ａを少なくとも両装着部２０の内側に向けて回転可能とする。すなわち、図３の第１の状態２０１において矢印で示されたように、先端２０Ａは、ヒンジ２３を回転中心として、基端２０Ｂと並ぶ位置まで回転する。
【００４３】
ヒンジ２４は、回転軸の軸心方向を上下方向とし、基端２０Ｂを少なくともベース部３０側に向けて回転可能とする。第２の状態２０２において矢印で示されたように、基端２０Ｂは、ヒンジ２４を回転中心として、ベース部３０と概ね平行する位置まで回転する。すなわち、第１の状態２０１から、さらに基端２０Ｂを回転させることで、平行するよう折り畳まれた先端２０Ａ及び基端２０Ｂが、ベース部３０と概ね平行する位置まで折り畳まれる。
【００４４】
好ましくは、図３に示されたように、ベース部３０は、第２の状態２０２から第３の状態２０３、さらには、第４の状態２０４まで折り畳まれる。すなわち、図３を参照して、ベース部３０の左右方向の中央に上下方向に延びるヒンジ３６が設けられている。
【００４５】
ヒンジ３６は、回転軸の軸心方向を上下方向とし、ベース部３０のヒンジ３６を挟む左右方向に並ぶ両部材を、内面３２側に向けて回転可能とする。すなわち、図３の第３の状態２０３において矢印で示されたように、ベース部３０は、ヒンジ３６を挟む左右方向に並ぶ両部材が、上下方向に延びるヒンジ３６の位置で折り畳まれる。
【００４６】
第２の状態２０２からベース部３０をヒンジ３６の回転によって折り畳むと、ベース部３０の立体形状の内面３２側に先端２０Ａ及び基端２０Ｂが折り畳まれた状態でベース部３０が折り畳まれる（第３の状態２０３）。その結果、先端２０Ａ及び基端２０Ｂが折り畳まれたベース部３０の立体形状の内面３２側に完全に収容された、第４の状態２０４に達する。これにより、ベース部３０が硬い素材で形成され、立体形状を有していても、不使用時には折り畳んで小型化することができる。そのため、収納や持ち運びに便利である。
【００４７】
マスク部１０は、ベース部３０よりも柔らかい素材で形成されている。マスク部１０の素材は、例えば、不織布や薄布や紙などである。これにより、マスク部１０はベース部３０に保持されることで、ベース部３０の有する立体形状を呈する。
【００４８】
好ましくは、マスク部１０の外面１１は、模様や色が施されている。模様や色は、例えば、内面１２が覆う顔面Ｆの部位に対応した画像である。図１及び図２の例では、外面１１の、内側が使用者の鼻Ｎに相当する位置１３Ａには鼻画像１３、使用者の唇Ｌに相当する位置１４Ａには唇画像１４がプリントされている。これにより、マスク１００を着用したときに自然な表情にしたり、所望する表情にしたりすることができる。
【００４９】
模様や色は、内面１２が覆う顔面Ｆの部位に対応した画像以外のものであってもよい。例えば、季節に合った模様や色、シーンに合った模様や色であってもよい。これにより、マスク１００のファッション性が高められる。
【００５０】
ベース部３０の外面３１にマスク部１０を保持するために、ベース部３０の外面３１と、マスク部１０の内面１２とは、それぞれ、ベース部３０に対するマスク部１０の着脱機構を有する。着脱機構が設けられることで、ベース部３０の外面３１にマスク部１０が着脱可能に保持される。
【００５１】
ベース部３０及びマスク部１０の有する着脱機構は、それぞれ、面ファスナー、粘着テープ、フック、クリップ、などを利用した着脱部３５，１５である。これらは、図１及び図２に示されたように、ベース部３０にマスク部１０を装着した際に一致する位置に設けられる。これにより、ベース部３０の外面３１に対してマスク部１０を着脱可能とすることができる。このため、マスク部１０を容易に取り換えることができる。その結果、衛生を保つことができるとともに、使用者は所望するマスク部１０を装着することができる。
【００５２】
好ましくは、ベース部３０は、少なくとも、使用者の装着時に上下方向（縦方向）となる方向に変形可能である。これにより、使用者が会話するなど口を動かしたときにもマスク１００が顔面Ｆにフィットし、使用感を向上させることができる。
【００５３】
変形可能な構成の一例として、ベース部３０は、位置関係が変化可能な複数部材で構成されている。図４は、第１の例に係るベース部３０であって、正面から見た状態図３０１、及び、状態図３０１のＡＡ断面図３０２を示している。図４に示されたように、第１の例に係るベース部３０は、上下方向に配置される上部材３０Ａ及び下部材３０Ｂからなり、上部材３０Ａ及び下部材３０Ｂは位置関係が変化可能に配置されている。
【００５４】
状態図３０１に示されたように、上部材３０Ａ及び下部材３０Ｂは、上部材３０Ａの下端と下部材３０Ｂの上端とが重複するように配置される。ＡＡ断面図３０２は重複部分の左右方向の断面図である。ＡＡ断面図３０２を参照して、上部材３０Ａの少なくとも重複部分は、内面３２側に突出し、上下方向に延びる爪片３７を左右端に有するチャンネル状の構造を有している。チャンネル状の構造には、下部材３０Ｂの重複部分の左右端が嵌め込まれる。これにより、状態図３０１に示されたように、下部材３０Ｂは上部材３０Ａに対する相対的なＶ１方向にスライド可能となる。
【００５５】
好ましくは、上部材３０Ａの下端と下部材３０Ｂの上端とには、内面３２側に突出した図示しない鍔部が形成されている。これにより、下部材３０Ｂの上部材３０Ａからの抜け落ちが防止される。
【００５６】
図４の構成により、第１の例に係るベース部３０は、マスク１００を装着した使用者の上下方向の口の動きに追随して下部材３０ＢがＶ１方向にスライドする。このため、使用者が会話するなど口を動かしたときにもマスク１００が顔面Ｆにフィットし、使用感を向上させることができる。
【００５７】
図５に示された第２の例に係るベース部３０のように、チャンネル状の構造に替えて、上部材３０Ａと下部材３０Ｂとの重複部分の少なくとも一カ所（図５では左右両端）にヒンジ３８が設けられてもよい。これにより、図５に示されたように、上部材３０Ａに対して下部材３０Ｂが、上部材３０Ａに平行な位置から内面３２側にＶ２方向に揺動可能となる。
【００５８】
図５の構成により、第２の例に係るベース部３０は、マスク１００を装着した使用者の上下方向の口の動きに追随して下部材３０ＢがＶ２方向に揺動する。その結果、使用者が会話するなど口を動かしたときにもマスク１００が顔面Ｆにフィットし、使用感を向上させることができる。
【００５９】
変形可能な構成の他の例として、ベース部３０は、少なくとも一部が変形可能な素材で形成されている。第３の例に係るベース部３０は、一部分である図６にハッチングで示された変形可能領域３９が変形可能な素材で形成されている。変形可能な素材は、弾性変形する素材であって、ゴムなどの樹脂や軽量な金属などである。変形可能領域３９は、ベース部３０の上部分と下部分とを分断する位置に設けられ、例えば、図６に示されたように、顔面Ｆへの装着時に顎関節付近に対応した位置に設けられる。
【００６０】
図６の構成により、第３の例に係るベース部３０は、マスク１００を装着した使用者の口の動きに追随してベース部３０がＶ３方向に伸縮するように変形する。このため、使用者が会話するなど口を動かしたときにもマスク１００が顔面Ｆにフィットし、使用感を向上させることができる。
【００６１】
＜２．２  第２の実施の形態＞
【００６２】
第２の実施の形態に係るマスク１００は、図７に示されたように、ベース部３０の外面３１との間でマスク部１０を挟むことで、マスク部１０を保持する保持部材４０をさらに備える。
【００６３】
保持部材４０は、図７に示されたように、マスク部１０と概ね同じ範囲で顔面Ｆを覆うものであってもよい。また、他の例として、保持部材４０は、例えば棒状などの、マスク部１０よりも大幅に小さい面積であってもよい。保持部材４０は、弾性力や粘性力などによってベース部３０の外面３１との間でマスク部１０を挟んでマスク部１０を保持する。
【００６４】
好ましくは、保持部材４０がマスク部１０と概ね同じ範囲で顔面Ｆを覆うものである場合、保持部材４０は、透明又は半透明などの透過性を有する素材で形成される。そのようにすることで、ベース部３０の外面３１との間に挟まれたマスク部１０が透過して、又は、半透過して見える。そのため、外面１１側から保持部材４０に覆われていても、マスク部１０の外面１１に施された模様や色が外部から視認可能となる。これにより、マスク１００の装着が安定するとともに、マスク１００のファッション性が高められる。
【００６５】
＜２．３  第３の実施の形態＞
【００６６】
第３の実施の形態に係るマスク１００は、図８及び図９に示されたように、マスク部１０は、内面１２が顔面Ｆに接するようにして、顔面Ｆに装着される。その外面１１側から、ベース部３０に覆われる。すなわち、第３の実施の形態に係るマスク１００では、装着時に、顔面Ｆから外側に向けて、マスク部１０及びベース部３０の順に位置する。
【００６７】
マスク部１０は、顔面Ｆに保持される機構を有する。その機構は、例えば、内面１２に設けられた粘着性を有する領域や、耳掛けなどである。又は、マスク部１０は、顔面Ｆに保持される機構を有しなくてもよい。この場合、マスク部１０の左右端部が、ベース部３０に接続された装着部２０によって顔面Ｆに対して押し付けられたり、装着部２０に装着されたりすることで顔面Ｆに保持されてもよい。
【００６８】
第３の実施の形態に係るベース部３０は、図８及び図９に示されたように、開口３３を有しないものであってもよい。この場合、好ましくは、ベース部３０は、図８及び図９に示されたように、顔面Ｆより凸出した立体形状を有する。これにより、使用者が呼吸しやすくなったり、蒸れを抑えたりするほか、会話などの口の動きも妨げられない。その結果、使用感を向上させることができる。
【００６９】
好ましくは、ベース部３０は、透明又は半透明などの透過性を有する素材で形成される。そのようにすることで、ベース部３０に覆われたマスク部１０が透過して、又は、半透過して見える。外面１１側から保持部材４０又はベース部３０に覆われていても、マスク部１０の外面１１に施された模様や色が外部から視認可能となる。これにより、マスク１００の装着が安定するとともに、マスク１００のファッション性が高められる。
【００７０】
＜３．付記＞
本発明は、上記実施形態に限定されるものではなく、様々な変形が可能である。例えば、下の構成も本発明に含まれてもよい。
マスク部と、
前記マスク部を外部から覆うベース部と、を備え、
前記ベース部は、透過性を有する素材で形成されている
マスク。
【符号の説明】
【００７１】
１０    ：マスク部
１１    ：外面
１２    ：内面
１３    ：鼻画像
１４    ：唇画像
１５    ：着脱部
２０    ：装着部
２０−１  ：連結部分
２０Ａ  ：先端
２０Ｂ  ：基端
２１    ：取り付け具
２２    ：耳掛け部
２３    ：ヒンジ
２４    ：ヒンジ
３０    ：ベース部
３０Ａ  ：上部材
３０Ｂ  ：下部材
３１    ：外面
３２    ：内面
３３    ：開口
３４    ：凸形状
３５    ：着脱部
３６    ：ヒンジ
３７    ：爪片
３８    ：ヒンジ
３９    ：変形可能領域
４０    ：保持部材
１００  ：マスク
２０１  ：第１の状態
２０２  ：第２の状態
２０３  ：第３の状態
２０４  ：第４の状態
３０１  ：状態図
３０２  ：ＡＡ断面図
ＡＵ    ：耳介
ＣＨ    ：頬
Ｆ      ：顔面
Ｌ      ：唇
Ｎ      ：鼻
ＮＯ    ：鼻孔
【図１】
2020183590.tif 000003
【図２】
2020183590.tif 000004
【図３】
2020183590.tif 000005
【図４】
2020183590.tif 000006
【図５】
2020183590.tif 000007
【図６】
2020183590.tif 000008
【図７】
2020183590.tif 000009
【図８】
2020183590.tif 000010
【図９】
2020183590.tif 000011